(57)【要約】      （修正有）【課題】装用中の不慮の事故から装用者の顔面や頭部を保護する為のメガネフレームの内側に固定するクッション材において、柔軟性に富みかつべとつき感のない素材を提供する。【解決手段】シリコーン系粘弾性材料を素材とし、表面と裏面とを有する薄板状をなし、表面の硬度がその奥の肉厚部分のそれよりも高く、その裏面側をメガネフレームの装用者の顔面又は頭部に対向する面の所望箇所に固定する様にしたメガネフレームのクッション材９，１０，１５，１６。【選択図】図１
2019066782.tif 000002
【特許請求の範囲】
【請求項１】
シリコーン系粘弾性材料を素材とし、表面と裏面とを有する薄板状をなし、表面の硬度がその奥の肉厚部分のそれよりも高く、その裏面側をメガネフレームの装用者の顔面又は頭部に対向する面の所望箇所に固定する様にしたことを特徴とするメガネフレームのクッション材。
【請求項２】
略楕円形の平面形状を有し、メガネフレームの鼻当てパッド部に固定することを特徴とする請求項１記載のメガネフレームのクッション材。
【請求項３】
細長い略短冊状の平面形状を有し、テンプルの頭部接触面に固定することを特徴とする請求項１記載のメガネフレームのクッション材。
【請求項４】
細長いへら状の平面形状を有し、モダンの頭部接触面に固定することを特徴とする請求項１記載のメガネフレームのクッション材。
【請求項５】
略弓形の平面形状を有し、フロント裏面に固定することを特徴とする請求項１記載のメガネフレームのクッション材。
【発明の詳細な説明】
【技術分野】
【０００１】
この発明はメガネフレームの構成部品、詳しくはメガネフレームの安全かつ安定的な装用の為に用いられる部材に関する。
【背景技術】
【０００２】
メガネフレームは鼻当てパッド部、テンプル、モダン等の装用者の顔面または頭部に直接接する部材とフロントの様にわずか数ミリの間隔を隔てて装用者の顔面又は頭部と対峙する部材とから構成されている。
【０００３】
従って、メガネフレーム装用中の不慮の事故によって、メガネフレームが装用者の顔面や頭部を傷付ける潜在的危険性は常に存在しており、メガネフレームには、その特性上十分な安全性に対する配慮が必要であった。
【０００４】
特に、メガネフレームの本体は、バネ性を持つことが必要な為、その多くは金属製か弾性を有する硬質合成樹脂製であり、不慮の事故によって装用者の顔面や頭部に衝突した場合、その硬さの為、顔面や頭部に深刻なダメージを与えるおそれがあった。
【０００５】
一方、視力矯正の具であるメガネがその能力を十分に発揮するには、眼球との関係などで光学的に予め設定された正しい相対位置にメガネフレームが保持され、装用中にこの相対位置からずれない様にすることが必要である。
【０００６】
この様に、メガネフレームには、安全面に対する配慮と共に、正しい光学的相対位置に安定的に保持される様にする為の配慮が必要であった。
【０００７】
この為、鼻当てパッド部やモダンなどの装用者の皮膚に直接接する部材の表面に、柔軟性に富んだクッション材を取付け、不慮の事故の際の衝撃を吸収させると共に、鼻や耳などとの密着性を高め、装用中のずれを防ぐことが行われていた。
【先行技術文献】
【特許文献】
【０００８】
【特許文献１】なし
【非特許文献】
【０００９】
【非特許文献１】なし
【発明の概要】
【発明が解決しようとする課題】
【００１０】
メガネフレームのクッション材は、装用中の不慮の事故から装用者の顔面や頭部を守ると共に、メガネフレームを正しい光学的相対位置に保持する為に有効であるので、従来から様々な素材のものが提案されている。
【００１１】
メガネフレームのクッション材は柔軟性を有することが肝要であり、軟らかい程、つまり硬度が低い程、柔軟性に富み、衝撃の吸収及び顔面又は頭部への密着性が高まり、安全面と安定性の両面から好ましいが、軟らかすぎると皮膚にべとつき、装着感が悪くなるという問題があった。
【００１２】
従来から、メガネフレームのクッション材には各種軟質合成樹脂が用いられているが、柔軟性に富む軟らかい素材は往々にしてべとつき感がり、逆にべとつき感のない素材は柔軟性に欠けることが多く、メガネフレームのクッション材としてはいずれも一長一短があり、最適な素材はなかなか見当たらなかった。
【００１３】
本発明者は、メガネフレームのクッション材に関する上記問題点を解決すべく鋭意研究を行った結果、皮膚に密着する十分な柔軟性を持ちながら、べとつき感がないクッション材を開発することに成功し、本発明としてここに提案するものである。
【課題を解決するための手段】
【００１４】
シリコーン系粘弾性材料を素材とし、表面と裏面とを有する薄板状をなし、表面の硬度がその奥の肉厚部分のそれよりも高く、その裏面側をメガネフレームの装用者の顔面又は頭部に対向する面の所望箇所に固定する様にしたメガネフレームのクッション材により、上記課題を解決した。
【発明の効果】
【００１５】
メガネフレームの鼻当てパッド部、テンプル、モダン、フロントなどの内側、つまり、装用者の皮膚に接する側や顔面に対向する面に固定して使用に供されるものであり、装用中の不慮の事故により、メガネフレームに大きな衝撃力が加わったとしても、シリコーン系粘弾性材料特有のすぐれた柔軟性により、このクッション材が緩衝材として作用し、顔面や頭部への圧力を緩和し、その損傷を防ぐ。一方、装用中は、そのすぐれた柔軟性により、鼻当てパッド部、テンプル、モダンを装用者の顔面や頭部にしっかりと密着させ、メガネフレームを予め定められた適正な相対位置に安定的に保持させる。
【００１６】
又、このクッション材の表面の硬度は、肉厚内のそれより大きいので、粘弾性材料としての柔軟性が高いにもかかわらず、皮膚に接触した際のべとつきがなく、快適な装用感がもたらされる。
【図面の簡単な説明】
【００１７】
【図１】この発明に係るメガネフレームのクッション材をメガネフレームの所望箇所にそれぞれ固定した状況を説明した斜視図。
【図２】この発明に係るメガネフレームのクッション材の拡大縦断面図。
【図３】同じく、鼻当てパッド部に固定するクッション材の一例の拡大斜視図。
【図４】同じく、テンプルに固定するクッション材の一例の拡大斜視図。
【図５】同じく、モダンに固定するクッション材の一例の拡大斜視図。
【図６】同じく、フロント固定する用クッション材の一例の拡大斜視図。
【発明を実施するための形態】
【００１８】
メガネフレームのクッション材を柔軟性の高いシリコーン系粘弾性材料で構成すると共に、その表面の硬度を肉厚内の強度より高くし、皮膚接触時のべとつき感をなくしたことに最大の特徴が存する。
【実施例１】
【００１９】
以下、図面を参照しならがら、この発明の実施例について説明する。
【００２０】
この発明に係るメガネフレームのクッション材は、図１に示す様に、鼻当てパッド部１、テンプル２、モダン３、フロント４などのメガネフレームの各部材に固定して使用に供されるものであり、シリコーン(silicone)系粘弾性材料を素材として用い、図２に示す様に、対向した表面６と裏面７、その間の肉厚１７とを有するシート状、即ち薄板状をなし、平面形状は図３乃至図６に示す様に、固定される部材に応じた形を呈しており、裏面７側に形成されている粘着剤又は接着剤層８によりメガネフレームの各部材に固定される様になっている。
【００２１】
シリコーン系粘弾性材料とは、粘性と弾性の両方を併せ持ったシロキサン結合による主骨格を有する合成高分子材料を言う。そして、このクッション材の表面６付近を除いた肉厚１７内の硬度は、材料硬度としてデュロメータＡ（ＪＩＳ  Ｋ６２５３準拠）で９以下であり、この肉厚１７内のデュロメータＡ硬度が０の場合、ＪＩＳ  Ｋ２２０７−１９８０（５０ｇ荷重）に準拠した針入度（２５℃）は２０〜３５０、好ましくは５０〜１５０、より好ましくは８０〜１２０である。一方、表面６付近の硬度は、肉厚１７内の硬度よりも大きく、べとつき感がないように設定すればよく、材料硬度としてデュロメータＡ（ＪＩＳ  Ｋ６２５３準拠）で１０〜８０が好ましい。これによって表面６付近のみが肉厚１７内よりも硬い構造となる。
【００２２】
肉厚１７内の硬度がデュロメータＡで９を超えると硬すぎて所望の効果が得られない。また、表面６付近の硬度がデュロメータＡで８０以上であると、クッション材の表面が硬すぎて装着感が低下する。図２中、１８は硬度の高い領域を示す。
【００２３】
表面６の硬度が肉厚１７内の硬度より高くなっていることがこの発明の大きな特徴であり、本体を構成する硬度の低いシリコーン系粘弾性材料からなる薄板状材料の表面に硬度の高いシリコーン系粘弾性材料をコーティングしたり、シート状の高硬度シリコーン系粘弾性材料を本体の上面に貼り付けるなど、適宜手段を用いて作り出せば良く、要するにその表面の硬度が高くなるようにすれば良いのである。
【００２４】
この様なシリコーン系粘弾性材料から構成されたクッション材のうち、鼻当てパッド部１に固定される鼻当てパッド部用のクッション材９は、図３に示す様に、鼻当てパッド部１にほぼ一致する様な略楕円形の平面形状をなし、その裏面に形成された粘着剤又は接着剤層８によって鼻当てパッド部１に固定される様になっている。
【００２５】
又、テンプル２に固定されるテンプル用のクッション材１０は、図４に示す様に、テンプル２の内側面１１の横幅によりわずかに小さい横幅を有する細長い短冊状をなし、その裏面に形成された粘着剤又は接着剤層８によってテンプル２の内側面１１に固定される様になっている。
【００２６】
同様に、モダン３に固定されるモダン用のクッション材１５は、図５に示す様に、モダン３の形状に応じたヘラ形の平面形状をなし、その裏面に形成された粘着剤又は接着剤層８によって、モダン３の内側面１４に固定される様になっている。
【００２７】
更に、フロント４の内側に固定されるフロント用のクッション材１６は、図６に示す様に、フロント４の内側の弯曲に合致した略弓形の平面形状をなし、その裏面に形成された粘着剤又は接着剤層８によってフロント４の内側に固定される様になっている。
【００２８】
この発明に係るメガネフレームのクッション材は上記の通りの構成を有するものであり、図１に示す様に、メガネフレームの鼻当てパッド部１、テンプル２、モダン３、フロント４などの内側、つまり、装用者の皮膚に接する側や顔面に対向する面に固定して使用に供されるものであり、装用中の不慮の事故により、メガネフレームに大きな衝撃力が加わったとしても、シリコーン系粘弾性材料特有のすぐれた柔軟性により、このクッション材が緩衝材として作用し、顔面や頭部への圧力を緩和し、その損傷を防ぐ。
【００２９】
一方、装用中は、そのすぐれた柔軟性により、鼻当てパッド部１、テンプル２、モダン３を装用者の顔面や頭部にしっかりと密着させ、メガネフレームを予め定められた適正な相対位置に安定的に保持させる。
【００３０】
又、このクッション材の表面の硬度は、肉厚内のそれより大きいので、粘弾性材料としての柔軟性が高いにもかかわらず、皮膚に接触した際のべとつきがなく、快適な装用感がもたらされる。
【産業上の利用可能性】
【００３１】
金属製、合成樹脂製、いずれの素材からなるメガネフレームにも適用可能であると共に、視力矯正用メガネだけではなく、サングラス、防塵眼鏡などにも有効であり、広い利用可能性を有する。
【符号の説明】
【００３２】
１．鼻当てパッド部
２．テンプル
３．モダン
４．フロント
６．表面
７．裏面
８．粘着剤又は接着剤層
９．鼻当てパッド部用のクッション材
１０．テンプル用のクッション材
１１．内側面
１４．内側面
１５．モダン用のクッション材
１６．フロント用のクッション材
１７．肉厚
【図１】
2019066782.tif 000003
【図２】
2019066782.tif 000004
【図３】
2019066782.tif 000005
【図４】
2019066782.tif 000006
【図５】
2019066782.tif 000007
【図６】
2019066782.tif 000008